(57)【要約】【課題】  原子力の応用で発生する放射性廃水及び放射性物質の処理は、二次的な処理物の発生が必要であったり、埋設により半減期を待つなどの手法で、根本の解決を得られていない。また人体被曝への対応は治療に薬品を用いるもので、副作用の可能性が残されている上に遺伝子損傷による細胞の影響が数十年後にガンの発生で具現化するなど、長期的な体内の影響がもたらされ解決が困難となっている。また、がんの放射線治療では副作用が起こされる。【解決手段】  本技術では、原子力技術や放射線技術が量子エネルギーの作用である点に注目し、それにより起されるエネルギー被害を、水の中に様々な元素による多種類の電荷イオンを介在させる形態のイオン交換により、速やかな作用で放射線被害や放射性物質を処理するものである。【選択図】なし【特許請求の範囲】
【請求項１】
放射性物質、またはその影響を受けた液体や物質、または被曝現象を、多様な元素による多様な陽イオン・陰イオンと水素による単体の陽イオン陰イオンを介在させた水によるイオン交換作用で処理する技術
【発明の詳細な説明】
【技術分野】
【０００１】  本技術は、放射性物質が関与する原子力発電及び放射線治療を用いる医療分野、その他原子力を技術を用いる産業全般に属する
【背景技術】
【０００２】  従来の原子力産業における放射性廃水や放射性物質の処理は、次のような技術による。
（イ）廃液や廃水などの液体は、鉱物層通過によるろ過及び脱塩処理
（ロ）放射線を浴びた物質は、密閉容器に入れ埋設やピット貯蔵。
（ハ）使用済み核燃料や核廃棄物は、厚いコンクリートで遮蔽し、深度の高い位置で埋設【０００３】  放射能による被曝は、医療分野で次のような対処法が実施されている。
（ニ）胃洗浄
（ホ）下剤の飲用
（ヘ）放射性物質の体内吸収の阻害薬品の服用
（ト）放射性物質を特定金属と結合させるキレート作用で処理する薬の服用【０００４】  医療において、ガン治療では、放射線や陽子線など、放射能を用いた治療が使われている。
【先行技術文献】
【非特許文献１】  「放射性同位体資料−１０６３  無機イオ交換体調査報告書  館盛勝一・天野恕  日本原子力研究所」
【非特許文献２】  「バーミキュライトカラムによる放射性セシウムの序気に関する研究  筒井天尊・木村捷二郎  京都大学原子炉実験所」
【非特許文献３】  「緊急被曝医療ポケットブック  平成１７年３月  財団法人原子力安全研究協会」
【発明の概要】
【発明が解決しようとする課題】
【０００５】  放射能廃水などの液体を処理する技術において、（イ）は、使用する材料の成分や結晶構造により処理能力が左右される。例えばバーミキュライトカラムは放射性物質のセシウム除去に有効であるがカリウムイオンや硝酸アンモニウムイオンの介在で能力に差が出る。（非特許文献１・非特許文献２）【０００６】  脱塩など塩類の処理も必要で、処理した塩類の再処理が発生する。【０００７】  背景技術の（ロ）（ハ）では、ものが帯びた放射性物質を処理するのではなく、半減期を活用する物品の隔離であり、根本的な処理技術ではない。【０００８】  医療分野でも、（ニ）及び（ホ）は、摂取した放射性物質を強制的に体内から排除する手法であり、これによりもたらされる体内被曝のダメージを軽減したり除去するものではない。【０００９】（ヘ）（ト）は、体内に入った放射性物質の蓄積を阻害するもので、体内における放射性物質の移動経路でもたらされる内部被曝の影響が残され、（ト）では金属結合により自然界に無い物質が体内に形成され、双方とも人体に副作用を及ぼす措置である。（非特許文献４）【０００１０】  使用済み核燃料は放射性物質の放出が残存しており、その半減期は数万年のオーダーであり、現行の処理技術は、厚いコンクリートに閉じ込めた上で地球深く埋設する手法で、放射線による危険性の減少は成しえていない。
【課題を解決するための手段】
【０００１１】  原子力とは量子エネルギーの応用であるが、従来の放射性物質の処理は、物質の組成を基本とした物質化学のため、同じレベルでの対応が出来ず、処理の実現は困難である。【０００１２】  従って、処理に利用するものが物質化している場合は、量子エネルギーとしての電荷の作用は殆ど期待できない。しかし本技術では水の中に溶け込んだ、電離もしくは遊離したイオンによる電荷の交換作用を用いるエネルギー作用であり、同じ次元の措置により速やかに効率よく処理することを実現できる。【０００１３】  例えば本発明が解決しようとする課題の（イ）で挙げたバーミキュライトカラムのような物質化した鉱物質の物質としての無機イオンは、鉱物の産地により、成分組成も結晶構造も違う。その差は人間が１００人いれば１００の個性があると同様で、そこからぴったり合う条件を見出すことは困難である。【０００１４】  原子力による放射性物質は、同位体を呈する中性子の作用によるものも多い。陰陽イオンの電荷とともに中性子の数を調整できれば、放射性物質本体も処理可能となる。そのためには中性子の持つ陽子と電子に柔軟に作用できる電荷がエネルギーとして存在すればよい。【０００１５】  中性子は陽子１個、電子１個で電荷ゼロとなっているため、これには最も単純な、陽子１個、電子１個の水素を作用させることで対応可能となる。【０００１６】  それ以外の、陽イオンや陰イオンなどの放射線の発生源となる放射性物質は、多様な質量を持つ複数種類の元素イオンを用いることで、複数種類の原子力エネルギーの電荷処理に、柔軟に対応可能となる。【０００１７】  こうした多様な電荷を持つ複数種類の元素イオンと電荷＋１−１の最も単純な水素を、水の中に電離や遊離させると、放射線被害や放射性物質は、単純な電気的エネルギー交換反応、すなわちイオン交換により速やかに処理が可能となる。
【発明の効果】
【０００１８】  従来の技術による放射性廃水は、放射性物質を吸着したバーミキュライトの処理や脱塩した塩類など二次的な処理が発生するが、本技術によれば電荷の交換により安定無害化されるので、二次処理の必要が無いか、もしくは簡便になる。【０００１９】  放射線の被害も量子エネルギーの作用であり、物質が被害を受けた量子エネルギーを速やかに反作用させることで電荷の打消しが起こり、ダメージを軽減したり、処理が可能となる。【０００２０】  使用済み核燃料の処理に際しても、水素を含有した水を用いることで、中性子の減速効果が得られ処理期間の短縮が可能となる。【０００２１】  水に起こされる被曝では、次のような作用で速やかに解消される。水は通常２個の水分子により、オキソニウム基とヒドロキシ基に分かれて存在している。これに放射線が当たると電子剥離が起こされラジカル化し、オキソニウムラジカルイオンとヒドロキシラジカルイオンに分離される。これに多様な元素による液体イオンや水素ガスが作用すると、電子供給を果たし元のオキソニウム基とヒドロキシ基に戻る。【０００２２】  人体の８０％近くが水であるが、放射線治療や放射能被曝は体内の水の持つ電子を剥奪してラジカル化することでタンパク質の変性を起こすが、本技術のように剥奪された電子を速やかに戻すことで、タンパク質変性が進む前に肉体的な細胞の被害量を軽減もしくは阻止できる。
【発明を実施するための形態】
【０００２３】  多様な質量を持つ複数の元素イオンの生成は、熱硫酸（Ｈ２ＳＯ４）による天然鉱物質の溶解液を用いる。天然鉱物質が硫酸により溶解することで、含有する種々の電荷つ金属イオンが形成され、イオン交換作用により、物質の壊変が可能となる。
【０００２４】  この溶解液を水に添加すると、水分子や水に含有されるその他のイオンと反応し、硫酸イオンにも電離作用が起こる。硫酸を形成する硫黄は、温泉などに存在する自然界の陽イオンで、塩素に見るハロゲン元素のような酸化現象ではなく、電子を供給する還元作用を果たし人体や自然界に害にはならない。（図−１）
【０００２５】  一般的な水素ガスは揮発性が高く保存性が悪い。本技術では水素を細かな粒子気泡として水の中に分散させることで溶存性が高まるとともに、水中での放射線や放射性物質への接触機会が飛躍的に増加し、速やかな処理が可能となる。（図−２）
【０００２６】  このような電荷としてのエネルギーは、水の電気分解や電気作用でも発することが出来るが、単なるエネルギー作用で発するイオンは原子核や電子軌道の実体が無いため時間経過とともに消失してしまう。従って本技術では、物質の持つ元素によるイオンを応用する。
【０００２７】  水素の発生は水酸化マグネシウムを水に投下しても可能であるが、発生源の水酸化マグネシウムの持つイオンが水中に残り酸化物を呈しイオンバランスが崩れ使用できない。